(57)【要約】【課題】オーディオデータを分割してＭＰ３エンコードを並列処理した場合でも、データの連続性を保ち、且つ圧縮品質を維持することができるオーディオデータのエンコード装置および方法を提供する。【解決手段】分割部１は、ＰＣＭオーディオデータを複数の分割データに分割する。各分割データは、前後の分割データとオーバーラップするオーバーラップ区間を有する。ＭＰ３エンコード部２は各分割データを個別にＭＰ３エンコードする。エンコード時のフィルタ処理はオーバーラップ区間を用いて分割前と同様に行われる。解析部３は、ＭＰ３にエンコードされた各分割データのオーバーラップ区間を解析し、メインデータ（ビット貯蔵値）が重なり合わないフレームを検索する。結合部４は、検索されたフレームを結合フレームとして前後の分割データを結合する。【選択図】　図１
2004069773.tif 000002
【特許請求の範囲】
【請求項１】
ＰＣＭのオーディオデータを複数の分割データに分割する手段であって、各分割データにその前後の分割データとオーバーラップするオーバーラップ区間をもたせて分割する分割手段と、
各分割データをそれぞれ別個にエンコードするエンコード手段と、
エンコード手段がエンコードした各分割データが重なり合うことなく再結合できる結合箇所を、各分割データの前記オーバーラップ区間のなかで決定する解析手段と、
解析手段が検索した結合箇所で各分割データを結合する結合手段と、
を備えたオーディオデータのエンコード装置。
【請求項２】
前記分割手段は、前記オーディオデータをエンコード時のフレーム単位で分割する請求項１に記載のオーディオデータのエンコード装置。
【請求項３】
ＰＣＭのオーディオデータを複数の分割データに分割し、そのとき各分割データにその前後の分割データとオーバーラップするオーバーラップ区間をもたせる分割工程と、
各分割データをそれぞれ別個にエンコードするエンコード工程と、
エンコード工程でエンコードした各分割データが重なり合うことなく再結合できる結合箇所を、各分割データの前記オーバーラップ区間のなかで決定する解析工程と、
解析工程で検索した結合箇所で各分割データを結合する結合工程と、
からなるオーディオデータのエンコード方法。
【請求項４】
前記分割工程は、前記オーディオデータをエンコード時のフレーム単位で分割する請求項３に記載のオーディオデータのエンコード方法。
【発明の詳細な説明】
【０００１】
【発明の属する技術分野】
この発明は、ＰＣＭのオーディオデータをＭＰ３などの形式にエンコードするオーディオデータのエンコード装置およびエンコード方法に関する。
【０００２】
【発明が解決しようとする課題】
ＰＣＭのオーディオデータをＭＰ３などの形式にエンコードする場合、高品質のエンコードをしようとすれば、高速のＣＰＵを用いても相応の時間を要する。高品質のＭＰ３エンコードの場合、オーディオ信号を多数の周波数帯域のサブバンドに分割して、ＭＤＣＴにより対象フレームの前後の隣接フレームを考慮したフィルタ処理を行い、高精度に周波数分布の特徴を反映させるように処理しており、また、オーディオデータの重要な箇所に対してより多くのデータ量を割り当てるため、メインデータをフレームサイズよりも大きくしたり小さくしたりするビット貯蔵という方式を採用している。
【０００３】
このＭＰ３エンコードをより高速に処理したいという要請があり、それを実現するためにはオーディオデータを分割して複数のプロセッサで並列処理することが考えられる。しかし、上記のようにエンコードプロセス中に対象フレームの前後の隣接したフレームを考慮したフィルタ処理を行うため、データを分割してしまうと、その分割点付近のフレームでは隣接フレームの有無による影響が生じるという問題点があった。また、ビット貯蔵を行うと、エンコードされたデータ（メインデータ）が、そのデータのフレームとは異なるフレームに配置されることもあるため、単純に分割して結合するのみでは、データが不連続になってしまうという問題点があった。
【０００４】
この発明は、エンコードの品質を維持し、且つデータの連続性を保ってデータの分割処理をすることができるオーディオデータのエンコード装置およびエンコード方法を提供することを目的とする。
【０００５】
【課題を解決するための手段】
請求項１の発明は、ＰＣＭのオーディオデータを複数の分割データに分割する手段であって、各分割データにその前後の分割データとオーバーラップするオーバーラップ区間をもたせて分割する分割手段と、各分割データをそれぞれ別個にエンコードするエンコード手段と、エンコード手段がエンコードした各分割データが重なり合うことなく再結合できる結合箇所を、各分割データの前記オーバーラップ区間のなかで決定する解析手段と、解析手段が検索した結合箇所で各分割データを結合する結合手段と、を備えたことを特徴とする。
請求項２の発明は、請求項１の発明において、前記分割手段は、前記オーディオデータをエンコード時のフレーム単位で分割することを特徴とする。
【０００６】
請求項３の発明は、ＰＣＭのオーディオデータを複数の分割データに分割し、そのとき各分割データにその前後の分割データとオーバーラップするオーバーラップ区間をもたせる分割工程と、各分割データをそれぞれ別個にエンコードするエンコード工程と、エンコード工程でエンコードした各分割データが重なり合うことなく再結合できる結合箇所を、各分割データの前記オーバーラップ区間のなかで決定する解析工程と、解析工程で検索した結合箇所で各分割データを結合する結合工程と、からなることを特徴とする。
【０００７】
請求項４の発明は、請求項３の発明において、前記分割工程は、前記オーディオデータをエンコード時のフレーム単位で分割することを特徴とする。
【０００８】
この発明では、ＰＣＭのオーディオデータを分割し、各分割データを個別にエンコードする。そして、この個別にエンコードされた分割データを再結合することによって、エンコードされたオーディオデータを作成する。
ここで、オーディオデータを単純に時間軸上で切断して分割データを作成したのでは、その切断箇所付近では隣接するデータが存在しないことからデータエンコード時のフィルタ処理が元々のオーディオデータを処理した場合と異なってしまう。また、ＭＰ３形式などのデータではフレームのメインデータが異なるフレームに移動している場合がある。
【０００９】
このためこの発明では、分割データにオーバーラップ区間を設け、このオーバーラップ区間をフィルタ処理区間に含めることによってフィルタ処理が一連のオーディオデータをフィルタ処理した場合と異ならないようにしている。また、先の分割データのメインデータ移動量と後の分割データのメインデータ移動量を比較して、両方を結合したとき重なり合わない箇所を選んで結合箇所として決定する。この結合箇所で前後の分割データを結合することにより、それぞれ個別にエンコードされた分割データを再結合してもデータが不連続になることがない。
【００１０】
【発明の実施の形態】
図面を参照してこの発明の実施形態であるＭＰ３エンコード装置および方法について説明する。
図１はこの発明が適用されるＭＰ３エンコードシステムの概略ブロック図である。同図（Ａ）は全体のブロック図、同図（Ｂ）はＭＰ３エンコード部の機能ブロック図である。このＭＰ３エンコードシステムは、ＰＣＭのオーディオデータを入力し、これをＭＰ３形式のデータにエンコードして出力するシステムであるが、１曲のオーディオデータを複数の分割データに分割することにより、延べ複数のプロセッサがＭＰ３エンコードを担当できるようにしている。延べ複数とは、複数のプロセッサが同時に並行して各分割データをエンコードすること、および１台のプロセッサが各分割データをそれぞれ別の機会にエンコードすることを含む。
【００１１】
外部から入力されたＰＣＭのオーディオデータは分割部１に入力される。ここで、入力されるＰＣＭオーディオデータは、ストレージメディア（ＨＤＤ、ＣＤ、ＤＶＤ等）から通常再生速度よりも高速で分割部１に入力されるものとする。分割部１は、入力されたオーディオデータを複数の分割データに分割する。後述するように、オーディオデータの分割は、ＭＰ３のフレームサイズを単位として行われ、各分割データには、前後の分割データと数フレームずつオーバーラップするオーバーラップ区間が設けられている。各分割データはそれぞれ別々にＭＰ３エンコード部２に入力される。このＭＰ３エンコード部２は、上述したように、複数のエンコード部が並列に複数設けられたものであってもよく、１つのエンコード部が各分割データをそれぞれ別の機会に処理するものであってもよい。ＭＰ３エンコード部２は、ＭＰ３にエンコードした分割データを解析部３および結合部４に入力する。
【００１２】
解析部３は、ＭＰ３にエンコードされた各分割データのオーバーラップ区間を解析し、前後の分割データをどのフレームで結合するかを決定する。結合部４は、解析部３が決定した結合フレームで前後の分割データを結合し、ＭＰ３にエンコードされた形式でもとの１曲のオーディオデータを復元する。
【００１３】
この機能ブロック図において、分割部１、解析部３、結合部４およびＭＰ３エンコード部２の少なくとも１つのエンコーダは、１つのパーソナルコンピュータ上で実現することが可能である。また、複数のエンコーダはパーソナルコンピュータで複数のプロセッサを実装したボードを装着して並列処理させてもよいし、複数のパーソナルコンピュータなどを接続して分割データを送受信して並列処理をさせてもよい。また、複数のパーソナルコンピュータに対して係員が手動で分割データを入力・取り出しするようにしてもよい。
【００１４】
図１（Ｂ）は、ＭＰ３エンコード部２の各エンコーダの機能ブロック図である。また図２はＭＰ３データのデータ構成を示す図である。
図２において、ＭＰ３データは、ＰＣＭオーディオデータの１１５２サンプルで１フレームを構成する。各フレームの構成は同図（ｂ）に示すように、ヘッダ、サイドインフォメーション、メインデータなどからなり、ヘッダ内の情報のうち、サンプルレート、ビットレート、パディングの有無の情報によりフレームサイズを割り出すことができる。すなわち、１フレームの大きさ（ｂｙｔｅ数）は、１４４×（ビットレート）÷（サンプルレート）で決定される。たとえは、ビットレート：１２８ｋｂｐｓ、サンプルレート（サンプリング周波数ｆｓ）：４４．１ｋＨｚの場合；
１４４×１２８０００／４４１００＝４１７ｂｙｔｅ
であり、小数点以下は切り捨てられるが、ＭＰ３データ全体としての伝送ビットレートを合わせるために数フレームに１つの割合で１ｂｙｔｅを加算（パディング）したフレームが構成される。数フレームに１つの割合で４１８バイトのフレーム（パディングフレーム）を作成する。
【００１５】
また、サイドインフォメーションには、メインデータビギンというデータが書き込まれている。このデータは、ＭＰ３エンコードされた上記１１５２サンプルの符号化データ部（メインデータ）がどこから始まるかを示すデータである。ここで、ＭＰ３フォーマットの１フレームは、上記のように１１５２サンプルを対象としたものであるが、この１１５２サンプル分の符号化データ部（メインデータ）を、このフレーム以外の複数の隣接フレームのメインデータエリアにまたがって配置することを許容している。すなわち、１１５２サンプルのＰＣＭデータをエンコードしたときのデータサイズはそのＰＣＭデータの状態に応じて変化させることができる。これにより、単調な音の区間ではデータ量を少なく、複雑で変化に富んだ区間にはデータ量を多く割り振ることで、音質を考慮したデータ配分を行うことができる。また、このとき生じるフレーム毎のデータ配分量の差異は、複数の隣接フレーム間でそれぞれのメインデータサイズを調節することで吸収し、データ量が多い区間に多くのデータを配分できるようにする。その結果として、データ量の少ない区間では、メインデータエリアの後ろの部分に余白ができることで、次のフレーム以降のデータ量の多い区間により多くのデータを配分するための余裕分が生じることになる（ビット貯蔵）。
【００１６】
そして、次のフレームのメインデータは、そのフレームのメインデータエリアからでなく、このビット貯蔵されている前のフレームのメインデータエリアの途中から書きはじめる。これによって、配信のビットレートを変更することがなくなるうえ、その分のメインデータエリアのエリアを節約している。そして、なかには、エンコードしたメインデータのサイズが１フレームのメインデータエリアの大きさよりも大きい場合があるが、上記のように他のフレームでビット貯蔵しているため、このようなデータを書き込んでも、全体としてフレーム数に対応したメインデータエリアのデータ量に対応するデータ量に収めることができる。
【００１７】
図１（Ｂ）において、ＭＰ３エンコード部２のエンコーダは、フィルタバンク部１１、聴覚心理モデル解析部１２および量子化部１３からなっている。フィルタバンク部１１は３２の帯域に分割するフィルタ部とＭＤＣＴ（Ｍｏｄｉｆｉｅｄ　Ｄｉｓｃｒｅｔｅ　Ｃｏｓｉｎｅ　Ｔｒａｎｓｆｏｒｍ）部からなり（不図示）、ＰＣＭオーディオデータを５７６の周波数分解能のデータに変換する。聴覚心理モデル解析部１２は１０２４点ＦＦＴ（Ｆａｓｔ　Ｆｏｕｒｉｅｒ　Ｔｒａｎｓｆｏｒｍ）分析により純音成分抽出などからマスキングレベル（可聴限界レベル）を算出する。量子化部１３では、フィルタバンク部からのデータに対し、聴覚心理モデル解析部１２で算出したマスキングレベルに基づき、ビットを配分しハフマン符号化を行うことでデータ長を圧縮する。以上の処理により、ビットレート１２８ｋｂｐｓでエンコードした場合、ＰＣＭのオーディオデータが約１／１１のＭＰ３データに圧縮される。
【００１８】
図２（Ｃ）にビット貯蔵の例を示す。これは曲の途中のフレームを示す図であり、フレーム（１）　のメインデータエリアにはフレーム（２）　のメインデータの後半部、フレーム（３）　のメインデータおよびフレーム（４）　のメインデータの先頭部分が書き込まれている。そして、フレーム（４）　のメインデータの残りの部分は、フレーム（２）　のメインデータエリアに書き込まれている。このように、メインデータがフレームの範囲を越えて書き込まれるため、ＰＣＭオーディオデータの内容に応じて、ビット数を節約できるフレームではメインデータを小さくしてビット貯蔵し、複雑なＰＣＭデータのフレームでは、貯蔵されているビットを借りて１フレームを超える大きさのデータを書き込むことができ、全体としてのデータ量を増加させることなく高音質のエンコードをすることができる。
【００１９】
フィルタバンク部１１は、処理対象フレームとその前後の隣接フレームの半分にわたったフィルタ処理を行う。このため、データを分割してしまうと、その分割点付近のフレームでは隣接フレームの有無による影響が生じてしまう。また、ＭＰ３データにはビット貯蔵によるメインデータの移動があるため、オーディオデータを時間軸上でオーバーラップ無しに切断した分割データを単純に結合するのみでは再結合されたデータが不連続になってしまう。
そこで、上記分割部１では、分割するときに前後の分割データに重なり合うオーバーラップ区間を設け、解析部３が最適な結合フレームを割り出し、結合部４がメインデータの連続性を維持しつつ前記割り出された結合フレームで分割データを結合するようにしている。以下、これらの機能部の動作を詳細に説明する。
【００２０】
図３は、分割部１が実行するＰＣＭオーディオデータの分割処理を説明する図である。オーディオデータを分割する場合、各分割データがＭＰ３の１フレームのサンプル数（この実施形態では１１５２サンプル）の整数倍になるように分割する。さらに、各分割データが前後の分割データと数フレーム分のオーバーラップ区間を共有するように、このオーバーラップ区間を両方に重複させて分割データを作成する。オーバーラップ区間のフレーム数は、上記のフィルタ処理で必要な隣接フレームをカバーできるフレーム数およびビット貯蔵が適合するフレームを検索するためのフレーム数を加算したフレーム数とする。
【００２１】
同図では、１曲のオーディオデータを４分割し、各分割データが均等に同じ長さになるように調節している。このため、各分割データの長さ（フレーム数）をｂａｓｅ＋ｏｖｌのフレーム数にしている。なお、基本分割フレーム数ｂａｓｅは、総データフレーム数；ｓｉｚｅ、分割数；Ｎ、オーバーラップフレーム数；ｏｖｌとすると、（ｓｉｚｅ−ｏｖｌ）／Ｎで求めることができる。したがって、最初の分割データおよび最後の分割データは、隣の分割データとオーバーラップするのは片方のみであるため、両方ともオーバーラップする中間の分割データに比べてオーバーラップしない区間がｏｖｌ／２だけ長くなっている。
【００２２】
なお、元々のＰＣＭオーディオデータのデータ長（サンプル数）がＭＰ３の１フレームのサンプル数（１１５２サンプル）の整数倍でない場合には、最後の１フレームは短いフレームとなる。また、ＰＣＭオーディオデータのフレーム数が分割数Ｎで割り切れる数でなかった場合には、最後（Ｎ番目）の分割データは他の分割データよりも短い分割データとなる。上記のように分割された各分割データは、それぞれＭＰ３エンコード部２でＭＰ３データにエンコードされる。
【００２３】
図４および図５は、前記解析部３が実行する結合フレーム検索処理を説明する図である。図４（Ａ）は、分割データＭＰ３（１）　と分割データＭＰ３（２）　とを結合する場合について説明している。分割データＭＰ３（１）　のうちオーバーラップ区間の最後の２フレームは、終了点差などの影響を受ける区間であるため、それ以前のフレームの品質を確保するためのダミーフレームとして捨てることとする。また同様に、分割データＭＰ３（２）　のうちオーバーラップ区間の最初の２フレームは、フィルタリング遅延や開始点差などの影響を受ける区間であるため、それ以後のフレームの品質を確保するためのダミーフレームとして捨てることとする。したがって、オーバーラップ区間のうち両端の２フレームずつを除いた中央のフレームのどれかを結合フレームとするため、この区間の分割データＭＰ３（１）　、分割データＭＰ３（２）　の対応する各フレームのメインデータビギン（ビット貯蔵値）の適合性をチェックする。
【００２４】
すなわち、同図（Ｂ）に示すように、前のデータである分割データＭＰ３（１）　のメインデータビギンが、後のデータである分割データＭＰ３（２）　のメインデータビギンと同じか、または、それよりも手前にあれば、分割データＭＰ３（１）　のメインデータと分割データＭＰ３（２）　のメインデータを重なり合うことなく結合することができる。
【００２５】
なお、ビット貯蔵に応じて複数の隣接フレーム間でデータ配分を調節するときは、エンコードを行うＰＣＭデータの聴覚的情報量とその時点のビット貯蔵値によって配分量を決定する。このため、図１に示した複数のＭＰ３エンコーダを同じものとし、オーバーラップ領域について同じＰＣＭデータに対してエンコードを行ったとしても、オーバーラップ領域の始端からエンコードを開始したもの（ＭＰ３（２）　）と、その前からエンコードをしてきたもの（ＭＰ３（１）　）とでは、オーバーラップ領域に至るまでのエンコード過程が異なるため、それぞれのビット貯蔵値が異なる。したがって、結果として、それぞれのオーバーラップ領域のビット貯蔵値とメインデータビギン値は異なるものになる。このため、図４（Ａ）に示すオーバーラップ領域のうち両端を除く全域にわたってメインデータビギンを比較し、メインデータが重ならない範囲でＭＰ３（１）　のメインデータビギンとＭＰ３（２）　のメインデータビギンが近いフレームを検索して、それを結合フレームとする。
【００２６】
メインデータが重ならない範囲でＭＰ３（１）　のメインデータビギンとＭＰ３（２）　のメインデータビギンが近いフレームで両分割データを結合すると、図４（Ｂ）の下段に示す結合後のメインデータのマージン（空白エリア）が少なくなり、空白を埋めるためのダミーデータを少なくしてメインデータエリアを有効に使うことができる。
【００２７】
図５は、解析部３の動作（結合フレーム検索動作）を示すフローチャートである。まず、ｓ１で検索範囲およびレジスタのリセットを行う。結合する分割データＭＰ３（１）　、ＭＰ３（２）　のオーバーラップ区間のうち、両端のデータを除いた検索範囲の先頭フレームの番号をそれぞれｉ、ｊにセットし、検索範囲の最終フレームの番号をそれぞれｅｎｄ＿ｉ、ｅｎｄ＿ｊにセットする。また、メインデータビギンの差が最小のフレーム番号を記憶するレジスタｍｉｎ＿ｉ、ｍｉｎ＿ｊにダミーデータとして−１をセットする。
【００２８】
以下、検索範囲の先頭フレームから最終フレームまでメインデータビギンを比較してゆく。分割データＭＰ３（１）　のフレームｉのメインデータビギンを読み出してレジスタＡに書き込み（ｓ２）、分割データＭＰ３（２）　のフレームｊのメインデータビギンを読み出してレジスタＢに書き込む（ｓ３）。このレジスタＡ、Ｂの内容を比較して結合条件（Ａ≧Ｂ）を満たし（ｓ４）、且つ、その差（Ａ−Ｂ）が今まで比較したフレームのうち最も小さい場合には（ｓ５）、これを結合フレームとするため（Ａ−Ｂ）をｍｉｎレジスタに書き込むとともに、そのフレーム番号ｉ、ｊをｍｉｎ＿ｉ、ｍｉｎ＿ｊに書き込む（ｓ６）。上記の処理をｉ、ｊに１を加算しながら（ｓ７）、最終フレームｅｎｄ＿ｉ、ｅｎｄ＿ｊについて処理するまで繰り返し実行する（ｓ８）。
【００２９】
全てのフレームについて上記の処理を行ったのち、ｍｉｎ＿ｉ、ｍｉｎ＿ｊを結合フレームと決定して結合部に通知し、結合処理に進む（ｓ１０）。このとき、もしフレーム番号ｍｉｎ＿ｉがダミーデータ（−１）のままであれば、Ａ≧Ｂを満たすフレームが無かったものとして、結合処理に進まずにエラー処理（ｓ１１）に進む。
【００３０】
図６は結合部４が実行する結合処理を説明する図である。結合部４は、上記処理で解析部３が決定した結合フレームで分割データＭＰ３（１）　と分割データＭＰ３（２）　を結合する。同図では、ＭＰ３（１）　の結合フレームｍｉｎ＿ｉのメインデータビギン（ビット貯蔵値）が１６０であり、ＭＰ３（２）　の結合フレームｍｉｎ＿ｊのメインデータビギン（ビット貯蔵値）が１５０の場合を示している。
【００３１】
まず、分割データＭＰ３（２）　において、結合フレームｍｉｎ＿ｊより前に繰り上げられている１５０サンプルのメインデータを読み出して蓄積しておく。次に、分割データＭＰ３（１）　において、結合フレームｍｉｎ＿ｉのメインデータビギンが存在するフレームから結合フレームの直前（ｍｉｎ＿ｉ−１）のフレームまでを合成対象フレームとする。この合成対象フレームにおいて、ヘッダ、サイドインフォメーション、フレームサイズ、および、結合フレームｍｉｎ＿ｉのメインデータビギン以前のメインデータについては、分割データＭＰ３（１）　のものを用いる。そして、そのメインデータにつづけて上記（Ａ−Ｂ＝ｍｉｎ）のサイズのダミーデータを挿入したのち、上記蓄積しておいた結合フレームｍｉｎ＿ｊ以後の分割データＭＰ３（２）　のメインデータをＭＰ３（１）　のメインデータエリアに書き込む。
そして、上記合成対象フレームより後の（結合フレームｍｉｎ＿ｊを含む）フレームは分割データＭＰ３（２）　のものを結合し、合成対象フレームより後のフレームは、分割データＭＰ３（１）　のものを結合する。
【００３２】
このようにこの実施形態では、分割された分割データを各々エンコード処理し、その後に１曲分のエンコードされたデータを得るために「結合」処理を行っている。この一連のデータ処理をフレームの流れに着目して考えると、図６から明らかなように、分割データＭＰ３（１）　のフレームと分割データＭＰ３（２）　のフレームの並べ替え処理であると考えることもできる。
【００３３】
なお、この実施形態では、ＰＣＭオーディオデータをＭＰ３データにエンコードする場合の処理について説明したが、これ以外の形式であっても、エンコード時にエンコード箇所よりも前または後のデータが必要なエンコード方式であれば全て適用可能である。
【００３４】
また、上記実施形態における分割および解析・結合の処理は、ホストとなる１台のパーソナルコンピュータで行えばよいが、図７に示すように、複数のパーソナルコンピュータをＬＡＮまたはＷＡＮで接続し、分割、ＭＰ３エンコード、解析・結合をそれぞれ別々のパーソナルコンピュータが分散処理するようにしてもよい。また、インターネット上に分割エンコードしたＭＰ３データ（分割データ）を配信するサーバを設け、端末側でこの分割エンコードされたＭＰ３データを受信して解析・結合するようにしてもよい。
【００３５】
また、本発明において「エンコード」の語を主に圧縮の意味で用いているが、符号化一般にも適用可能である。
【００３６】
【発明の効果】
以上のようにこの発明によれば、ＰＣＭのオーディオデータを分割して並列処理によりエンコードすることができ、処理の高速化を図ることができるうえ、その場合でも、データが不連続になったり、圧縮品質を低下させることがない。
【図面の簡単な説明】
【図１】この発明の実施形態であるＭＰ３エンコードシステムの機能ブロック図
【図２】ＭＰ３データのフォーマットを説明する図
【図３】前記ＭＰ３エンコードシステムの分割部が行う処理を説明する図
【図４】前記ＭＰ３エンコードシステムの解析部が行う処理を説明する図
【図５】前記ＭＰ３エンコードシステムの解析部の処理動作を示すフローチャート
【図６】前記ＭＰ３エンコードシステムの結合部が行う処理を説明する図
【図７】前記ＭＰ３エンコードシステムをネットワーク上の分散処理化した形態を示す図
【符号の説明】
１…分割部、２…ＭＰ３エンコード部、３…解析部、４…結合部、
１１…フィルタバンク部、１２…聴覚心理モデル解析部、１３…量子化部
【図１】
2004069773.tif 000003
【図２】
2004069773.tif 000004
【図３】
2004069773.tif 000005
【図４】
2004069773.tif 000006
【図５】
2004069773.tif 000007
【図６】
2004069773.tif 000008
【図７】
2004069773.tif 000009